【手続補正書】
【提出日】平成15年2月25日(2003.2.25)
【手続補正１】
【補正対象書類名】明細書
【補正対象項目名】特許請求の範囲
【補正方法】変更
【補正の内容】
【特許請求の範囲】
【請求項１】
複数の発光ダイオード（ＬＥＤ）を制御するための照明プログラムを実行する方法において、
（Ａ）オーディオ入力を受け取るステップと、
（Ｂ）前記オーディオ入力をディジタル処理して、前記オーディオ入力の少なくとも１つの特性を決定するステップと、
（Ｃ）複数の制御信号を発生して前記複数のＬＥＤを制御するための照明プログラムを実行するステップと、
（Ｄ）前記のステップ（Ｃ）における照明プログラムの実行の間に、前記オーディオ入力の少なくとも１つの特性に少なくとも一部基づいて前記複数の制御信号のうちの少なくとも１つの制御信号を発生するステップと
を備える方法。
【請求項２】
前記のステップ（Ａ）は、前記オーディオ入力をアナログ形式で受け取り且つ前記オーディオ入力をディジタル形式に変換するステップを含む請求項１記載の方法。
【請求項３】
前記のステップ（Ａ）は、前記オーディオ入力を、ＭＰ３フォーマット、ＭＩＤＩフォーマット、ＭＯＤフォーマット、ＣＤＡフォーマット、ＷＭＡフォーマット、ＡＳフォーマット及びＷＡＶフォーマットのうちの少なくとも１つのフォーマットで受け取るステップを含む請求項１記載の方法。
【請求項４】
前記のステップ（Ｃ）は、
複数のアドレスされた命令を受け取るステップと、
前記複数のアドレスされた命令を、前記複数のＬＥＤのうちの少なくとも１つのＬＥＤと関連した少なくとも１つのアドレスに基づいて復号するステップと、
前記の復号されアドレスされた命令の少なくとも一部に基づいて前記照明プログラムを実行するステップと
を含む、請求項１から３のいずれか一項に記載の方法。
【請求項５】
前記のステップ（Ｂ）は、前記オーディオ入力について周波数変換を実行して、少なくとも１つの周波数帯域内のアクティビティ・レベルを決定するステップを含み、
前記オーディオ入力の少なくとも１つの特性は、前記少なくとも１つの周波数帯域内のアクティビティ・レベルと関連する
請求項１から４のいずれか一項に記載の方法。
【請求項６】
前記のステップ（Ｂ）は、前記オーディオ入力のビートを決定するステップを含み、
前記オーディオ入力の少なくとも１つの特性は、前記ビートと関連する
請求項１から５のいずれか一項に記載の方法。
【請求項７】
前記照明プログラムは、前記制御信号に応答して、前記複数のＬＥＤにより発生される照明効果の知覚可能な様相に影響を及ぼす少なくとも１つの可変パラメータを含み、
前記のステップ（Ｄ）は、前記の（Ｃ）における前記照明プログラムの実行の間に、前記少なくとも１つの可変パラメータを修正して、前記オーディオ入力の前記の決定されたビートに少なくとも一部基づいて前記制御信号のうちの少なくとも１つの制御信号を発生するステップを含む
請求項６記載の方法。
【請求項８】
前記少なくとも１つの可変パラメータは、前記照明効果の知覚された速度と関連し、
前記のステップ（Ｄ）は、前記オーディオ入力の前記の決定されたビートの速度に基づいて前記照明効果の前記の知覚された速度に影響を及ぼすように前記少なくとも１つの可変パラメータを修正するステップを含む
請求項７記載の方法。
【請求項９】
前記のステップ（Ｂ）は、前記オーディオ入力のボリュームを決定するステップを含み、
前記オーディオ入力の少なくとも１つの特性は、前記ボリュームと関連する
請求項１から８のいずれか一項に記載の方法。
【請求項１０】
前記のステップ（Ｂ）は、前記オーディオ入力の強度を決定するステップを含み、
前記オーディオ入力の少なくとも１つの特性は、前記強度と関連する
請求項１から９のいずれか一項に記載の方法。
【請求項１１】
前記のステップ（Ａ）は、前記オーディオ入力をオーディオ／ビデオ信号の一部として受け取るステップを含む請求項１から１０のいずれか一項に記載の方法。
【請求項１２】
前記のステップ（Ｃ）は、パルス幅変調された信号を前記複数のＬＥＤに送信して、前記複数のＬＥＤのそれぞれの知覚された強度を制御するステップを含む請求項１から１１のいずれか一項に記載の方法。
【請求項１３】
前記のステップ（Ｃ）は、入力値を有する少なくとも１つの変数を有する照明プログラムを実行するステップを含み、
前記のステップ（Ｄ）は、前記オーディオ入力の少なくとも１つの特性を前記少なくとも１つの変数の入力値として与えるステップを含む
請求項１から１２のいずれか一項に記載の方法。
【請求項１４】
前記照明プログラムが第１の照明プログラムであり、
前記方法は更に、前記のステップ（Ｃ）において第１の照明プログラムの実行の間に、前記オーディオ入力の少なくとも１つの特性に応答して、第２の照明プログラムの実行に切り換えるステップを含む
請求項１から１３のいずれか一項に記載の方法。
【請求項１５】
前記のステップ（Ｃ）における前記照明プログラムの実行の間に、前記オーディオ入力の少なくとも１つの特性に少なくとも一部基づいて、ある効果を前記複数のＬＥＤのうちの少なくとも１つのＬＥＤに割り当てるステップを更に含む請求項１から１４のいずれか一項に記載の方法。
【請求項１６】
前記のステップ（Ｃ）における前記照明プログラムの実行の間に、前記複数のＬＥＤのうちの少なくとも１つのＬＥＤに割り当てられる少なくとも１つの効果のパラメータを前記オーディオ入力の少なくとも１つの特性に少なくとも一部基づいて決定するステップを更に含む請求項１から１５のいずれか一項に記載の方法。
【請求項１７】
前記方法は更に、キュー・テーブルで受け取られた少なくとも２つの入力に応答して、前記照明プログラムの実行の間に取られるべき様々な動作を識別する前記キュー・テーブルを設けるステップを含み、
前記のステップ（Ｄ）は、
前記オーディオ入力の少なくとも２つの特性を前記キュー・テーブルへの入力として与えるステップと、
前記照明プログラムの実行の間に、前記キュー・テーブルの出力に応答して、前記複数の制御信号のうちの少なくとも１つの制御信号を発生するステップとを含む、請求項１から１６のいずれか一項に記載の方法。
【請求項１８】
前記照明プログラムは、前記オーディオ入力の少なくとも１つの特性から前記複数の制御信号のうちの少なくとも１つの制御信号へのマッピングを実行し、
前記方法は更に、キュー・テーブルで受け取られた少なくとも２つの入力に応答して、前記照明プログラムの実行の間に取られるべき様々な動作を識別する前記キュー・テーブルを設けるステップを含み、
前記のステップ（Ｄ）は、
前記オーディオ入力の少なくとも２つの特性を前記キュー・テーブルへの入力として与えるステップと、
前記照明プログラムの実行の間に、前記キュー・テーブルの出力に応答して、前記照明プログラムにより実行されるマッピングを変えるステップとを含む、請求項１から１７のいずれか一項に記載の方法。
【請求項１９】
前記オーディオ入力の少なくとも１つの特性は、少なくとも第１及び第２の特性を含み、
前記照明プログラムは、前記オーディオ入力の第１の特性から前記複数の制御信号のうちの少なくとも１つの制御信号へのマッピング機能を実行し、
前記のステップ（Ｄ）は、前記のステップ（Ｃ）における前記照明プログラムの実行の間に、前記オーディオ入力の第２の特性に応答して、前記照明プログラムにより実行されるマッピング機能を変えるステップを含む
請求項１から１８のいずれか一項に記載の方法。
【請求項２０】
前記照明プログラムが第１の照明プログラムであり、
前記方法は更に、前記のステップ（Ｃ）における第１の照明プログラムの実行の間に、前記オーディオ入力の第２の特性に応答して第２の照明プログラムの実行に切り換えるステップを含む請求項１９記載の方法。
【請求項２１】
前記のステップ（Ｂ）は、前記オーディオ入力をディジタル処理して、前記オーディオ入力の複数の特性を決定するステップを含み、
前記のステップ（Ｄ）は、前記のステップ（Ｃ）における前記照明プログラムの実行の間に、前記オーディオ入力の複数の特性に少なくとも一部基づいて前記制御信号を発生するステップを含む
請求項１から２０のいずれか一項に記載の方法。
【請求項２２】
前記のステップ（Ｃ）は、少なくとも１つのユーザ・インターフェースに結合された装置上で前記照明プログラムを実行するステップを含み、
前記方法は更に、前記のステップ（Ｃ）における前記照明プログラムの実行の間に、前記少なくとも１つのユーザ・インターフェースを介して与えられるユーザ入力に少なくとも一部基づいて前記複数の制御信号のうちの少なくとも１つの制御信号を発生するステップを含む
請求項１から２１のいずれか一項に記載の方法。
【請求項２３】
前記のステップ（Ｃ）は、少なくとも１つのユーザ・インターフェースに結合された装置上で前記照明プログラムを実行するステップを含み、
前記照明プログラムは、前記オーディオ入力の少なくとも１つの特性から前記複数の制御信号のうちの少なくとも１つの制御信号へのマッピング機能を実行し、
前記方法は更に、前記ユーザ・インターフェースから受け取られた入力に応答して、前記照明プログラムにより実行されるマッピング機能を変えるステップを含む
請求項１から２２のいずれか一項に記載の方法。
【請求項２４】
前記のステップ（Ａ）は、前記オーディオ入力、及び少なくとも１つのタイマからの入力を受け取るステップを含み、
前記のステップ（Ｄ）は、前記のステップ（Ｃ）における前記照明プログラムの実行の間に、前記オーディオ入力の少なくとも１つの特性及び前記少なくとも１つのタイマからの入力に少なくとも一部基づいて前記複数の制御信号のうちの少なくとも１つの制御信号を発生するステップを含む
請求項１から２３のいずれか一項に記載の方法。
【請求項２５】
前記のステップ（Ｃ）は、それぞれが入力値を有する少なくとも第１及び第２の変数を有する照明プログラムを実行するステップを含み、
前記のステップ（Ｄ）は、前記オーディオ入力の少なくとも１つの特性を前記第１の変数の入力値として、且つ前記少なくとも１つのタイマからの入力を前記第２の変数の入力値として与えるステップを含む
請求項２４記載の方法。
【請求項２６】
前記のステップ（Ａ）は、前記オーディオ入力、及びグラフィカル・ユーザ・インターフェースからの入力を受け取るステップを含み、
前記のステップ（Ｄ）は、前記のステップ（Ｃ）における前記照明プログラムの実行の間に、前記オーディオ入力の少なくとも１つの特性及び前記グラフィカル・ユーザ・インターフェースからの入力に少なくとも一部基づいて前記複数の制御信号のうちの少なくとも１つの制御信号を発生するステップを含む
請求項１から２５のいずれか一項に記載の方法。
【請求項２７】
（Ｅ）オーディオ信号を示すスピーカ互換性信号を発生するステップと、
（Ｆ）前記スピーカ互換性信号をスピーカに送信して、前記オーディオ信号を示す可聴音を発生するステップと
を更に備える請求項１から２６のいずれか一項に記載の方法。
【請求項２８】
（Ｇ）前記オーディオ入力の少なくとも１つの特性と関連した情報を格納するステップと、
前記のステップ（Ｃ）は、前記のステップ（Ｇ）の完了後に、前記照明プログラムを実行して、前記複数のＬＥＤを制御するための制御信号を発生するステップを含み、
前記のステップ（Ｄ）は、前記のステップ（Ｃ）における前記照明プログラムの実行の間に、前記の格納された情報を読み出し且つ前記オーディオ入力の少なくとも１つの特性に少なくとも一部基づいて前記複数の制御信号のうちの少なくとも１つの制御信号を発生するステップを含む
請求項１から２７のいずれか一項に記載の方法。
【請求項２９】
前記のステップ（Ａ）は、ある持続時間を有し且つ前記オーディオ入力の持続時間の間に時間的に変化する前記オーディオ入力を受け取るステップを含み、
前記のステップ（Ｂ）は、前記オーディオ入力を処理して、前記持続時間中の第１の時間で前記オーディオ入力の少なくとも１つの特性を決定するステップを含み、
前記のステップ（Ｃ）は、前記照明プログラムを前記オーディオ入力と同期して実行して、前記複数のＬＥＤを制御するための制御信号を発生して、前記オーディオ入力と同期されたライト・ショーを生成するステップを含み、
前記のステップ（Ｄ）は、前記オーディオ入力の持続時間中の第１の時間の前のある時間に前記のステップ（Ｃ）における前記照明プログラムの実行の間に、前記ライト・ショーが前記オーディオ入力における変化を予測するように、前記オーディオ入力の少なくとも１つの特性に少なくとも一部基づいて前記複数の制御信号のうちの少なくとも１つの制御信号を発生するステップを含む
請求項１から２８のいずれか一項に記載の方法。
【請求項３０】
複数の発光ダイオード（ＬＥＤ）を制御するため照明プログラムを実行する装置において、
前記照明プログラムを格納するための少なくとも１つの記憶媒体と、
オーディオ入力を受け取るための少なくとも１つの入力と、
前記オーディオ入力をディジタル処理して、前記オーディオ入力の少なくとも１つの特性を決定するためのオーディオ・デコーダと、
前記オーディオ・デコーダ及び少なくとも１つの記憶媒体に結合され、前記照明プログラムを実行して、前記複数のＬＥＤを制御するための複数の制御信号を発生する少なくとも１つの制御器と、を備え、
前記少なくとも１つの制御器は、前記オーディオ入力の少なくとも１つの特性に少なくとも一部基づいて前記複数の制御信号のうちの少なくとも１つの制御信号を発生する、装置。
【請求項３１】
前記少なくとも１つの入力に結合され、前記オーディオ入力をアナログ形式からディジタル形式に変換するアナログ／ディジタル変換器を更に含む請求項３０記載の装置。
【請求項３２】
前記装置は、前記オーディオ入力を、ＭＰ３フォーマット、ＭＩＤＩフォーマット、ＭＯＤフォーマット、ＣＤＡフォーマット、ＷＭＡフォーマット、ＡＳフォーマット及びＷＡＶフォーマットのうちの少なくとも１つのフォーマットで受け取るよう構成されている請求項３０記載の装置。
【請求項３３】
前記少なくとも１つの制御器は、複数のアドレスされた命令を受け取り、前記複数のアドレスされた命令を、少なくとも１つの制御器と関連した少なくとも１つのアドレスに基づいて復号し、且つ前記の復号されアドレスされた命令の少なくとも一部に基づいて前記照明プログラムを実行するよう構成されている請求項３０から３２のいずれか一項に記載の装置。
【請求項３４】
前記オーディオ・デコーダは、前記オーディオ入力について周波数変換を実行して、少なくとも１つの周波数帯域内のアクティビティ・レベルを決定するよう構成されており、
前記オーディオ入力の少なくとも１つの特性は、前記少なくとも１つの周波数帯域内のアクティビティ・レベルと関連する
請求項３０から３３のいずれか一項に記載の装置。
【請求項３５】
前記オーディオ・デコーダは、前記オーディオ入力のビートを決定するよう構成されており、
前記オーディオ入力の少なくとも１つの特性は、前記ビートと関連する
請求項３０から３４のいずれか一項に記載の装置。
【請求項３６】
前記照明プログラムは、前記制御信号に応答して、前記複数のＬＥＤにより発生される照明効果の知覚可能な様相に影響を及ぼす少なくとも１つの可変パラメータを含み、
前記少なくとも１つの制御器は、前記照明プログラムの実行の間に、前記少なくとも１つの可変パラメータを修正して、前記オーディオ入力の前記の決定されたビートに少なくとも一部基づいて前記複数の制御信号のうちの少なくとも１つの制御信号を発生するよう構成されている
請求項３５記載の装置。
【請求項３７】
前記少なくとも１つの可変パラメータは、前記照明効果の知覚された速度と関連し、
前記少なくとも１つの制御器は、前記オーディオ入力の前記の決定されたビートの速度に基づいて前記照明効果の前記の知覚された速度に影響を及ぼすように前記少なくとも１つの可変パラメータを修正するよう構成されている
請求項３６記載の装置。
【請求項３８】
前記オーディオ・デコーダは、前記オーディオ入力のボリュームを決定するよう構成されており、
前記オーディオ入力の少なくとも１つの特性は、前記ボリュームと関連する
請求項３０から３７のいずれか一項に記載の装置。
【請求項３９】
前記オーディオ・デコーダは、前記オーディオ入力の強度を決定するよう構成されており、
前記オーディオ入力の少なくとも１つの特性は、前記強度と関連する
請求項３０から３８のいずれか一項に記載の装置。
【請求項４０】
前記少なくとも１つの制御器は、パルス幅変調された信号を前記複数のＬＥＤに送信して、前記複数のＬＥＤのそれぞれの知覚された強度を制御するよう構成されている請求項３０から３９のいずれか一項に記載の装置。
【請求項４１】
前記照明プログラムは、入力値を有する少なくとも１つの変数を有し、
前記少なくとも１つの制御器は、前記オーディオ入力の少なくとも１つの特性を前記少なくとも１つの変数の入力値として与えるよう構成されている
請求項３０から４０のいずれか一項に記載の装置。
【請求項４２】
前記照明プログラムが第１の照明プログラムであり、
前記少なくとも１つの記憶媒体は更に、第２の照明プログラムを格納し、
前記少なくとも１つの制御器は、前記第１の照明プログラムの実行の間に、前記オーディオ入力の少なくとも１つの特性に応答して第２の照明プログラムの実行に切り換えるよう構成されている
請求項３０から４１のいずれか一項に記載の装置。
【請求項４３】
前記少なくとも１つの制御器は、前記照明プログラムの実行の間に、前記オーディオ入力の少なくとも１つの特性に少なくとも一部基づいて、ある効果を前記複数のＬＥＤのうちの少なくとも１つのＬＥＤに割り当てるよう構成されている請求項３０から４２のいずれか一項に記載の装置。
【請求項４４】
前記少なくとも１つの制御器は、前記照明プログラムの実行の間に、前記複数のＬＥＤのうちの少なくとも１つのＬＥＤに割り当てられる少なくとも１つの効果のパラメータを、前記オーディオ入力の少なくとも１つの特性に少なくとも一部基づいて決定するよう構成されている請求項３０から４３のいずれか一項に記載の装置。
【請求項４５】
キュー・テーブルで受け取られた少なくとも２つの入力に応答して、前記照明プログラムの実行の間に取られるべき様々な動作を識別する前記キュー・テーブルを更に含み、
前記キュー・テーブルは、前記オーディオ・デコーダに結合されて、前記オーディオ入力の少なくとも２つの特性を識別する情報を受け取り、
前記少なくとも１つの制御器は、前記キュー・テーブルの出力に応答して前記複数の制御信号のうちの少なくとも１つの制御信号を発生するよう構成されている
請求項４４記載の装置。
【請求項４６】
前記オーディオ入力の少なくとも１つの特性は、少なくとも第１及び第２の特性を含み、
前記照明プログラムは、前記オーディオ入力の第１の特性から前記複数の制御信号のうちの少なくとも１つの制御信号へのマッピングを実行し、
前記少なくとも１つの制御器は、前記照明プログラムの実行の間に、前記オーディオ入力の第２の特性に応答して、前記照明プログラムにより実行されるマッピング機能を変えるよう構成されている
請求項３０から４５のいずれか一項に記載の装置。
【請求項４７】
前記照明プログラムが第１の照明プログラムであり、
前記少なくとも１つの記憶媒体は更に、第２の照明プログラムを格納し、
前記少なくとも１つの制御器は、前記第１の照明プログラムの実行の間に、前記オーディオ入力の第２の特性に応答して第２の照明プログラムの実行に切り換えるよう構成されている
請求項４６記載の装置。
【請求項４８】
少なくとも１つのユーザ・インターフェースを更に含み、
前記少なくとも１つの制御器は、前記照明プログラムの実行の間に、前記少なくとも１つのユーザ・インターフェースを介して与えられるユーザ入力に少なくとも一部基づいて前記複数の制御信号のうちの少なくとも１つの制御信号を発生するよう構成されている
請求項３０から４７のいずれか一項に記載の装置。
【請求項４９】
前記少なくとも１つのユーザ・インターフェースが、グラフィカル・ユーザ・インターフェース（ＧＵＩ）を含む請求項４８記載の装置。
【請求項５０】
少なくとも１つのユーザ・インターフェースを更に含み、
前記照明プログラムは、前記オーディオ入力の少なくとも１つの特性から前記複数の制御信号のうちの少なくとも１つの制御信号へのマッピング機能を実行し、
前記少なくとも１つの制御器は、前記ユーザ・インターフェースから受け取られた入力に応答して、前記照明プログラムにより実行されるマッピング機能を変えるよう構成されている
請求項３０から４９のいずれか一項に記載の装置。
【請求項５１】
前記少なくとも１つの制御器は、前記オーディオ入力の特性び少なくとも１つのタイマからの入力に少なくとも一部基づいて前記複数の制御器信号のうちの少なくとも１つの制御信号を発生するよう構成されている請求項３０から５０のいずれか一項に記載の装置。
【請求項５２】
前記少なくとも１つのタイマを更に含む請求項５１記載の装置。
【請求項５３】
前記照明プログラムは、それぞれが入力値を有する少なくとも第１及び第２の変数を含み、
前記少なくとも１つの制御器は、前記オーディオ入力の少なくとも１つの特性を第１の変数の入力値として、且つ前記少なくとも１つのタイマからの入力を第２の変数の入力値として与えるよう構成されている
請求項５１又は５２記載の装置。
【請求項５４】
前記照明プログラムが第１の照明プログラムであり、
前記少なくとも１つの制御器は、前記第１の照明プログラムの実行の間に、前記少なくとも１つのタイマからの入力に応答して第２の照明プログラムの実行に切り換えるよう構成されている
請求項５１から５３のいずれか一項に記載の装置。
【請求項５５】
前記少なくとも１つの制御器は、オーディオ信号を示すスピーカ互換性信号を発生し、且つ前記スピーカ互換性信号をスピーカに送信して、前記オーディオ信号を示す可聴音を発生するよう構成されている請求項３０から５４のいずれか一項に記載の装置。
【請求項５６】
前記少なくとも１つの制御器は、前記オーディオ入力の少なくとも１つの特性と関連した情報を格納し、且つその後に、前記照明プログラムを実行する間に前記の格納された情報を読み出して、前記オーディオ入力の少なくとも１つの特性に少なくとも一部基づいて前記複数のＬＥＤを制御するための制御信号を発生するよう構成されている請求項３０から５５のいずれか一項に記載の装置。